(57)【要約】【課題】複数種類の表示パネルへの画像書き込みを、１つの駆動機器を用いて行うことが可能な表示装置を提供する。【解決手段】表示装置は、信号の入出力を行うインターフェース部を有する駆動機器と、それぞれが、駆動機器と別体として設けられると共に、駆動機器とインターフェース部を介して接続可能な複数種類の表示パネルとを備える。複数種類の表示パネルはそれぞれ、自己の識別情報を提示する識別用端子部を有し、駆動機器は、複数種類の表示パネルのいずれかの表示パネルが接続された場合に、その接続された駆動対象表示パネルの識別用端子部に対する信号入出力結果に基づいて、駆動対象表示パネルの識別情報を取得し、取得した入力識別情報に基づいて、駆動対象表示パネルに対応した画像信号を出力する。【選択図】図１
2013097269.tif 000002
【特許請求の範囲】
【請求項１】
信号の入出力を行うインターフェース部を有する駆動機器と、
それぞれが、前記駆動機器と別体として設けられると共に、前記駆動機器と前記インターフェース部を介して接続可能な複数種類の表示パネルと
を備え、
前記複数種類の表示パネルはそれぞれ、自己の識別情報を提示する識別用端子部を有し、
前記駆動機器は、
前記複数種類の表示パネルのいずれかの表示パネルが接続された場合に、その接続された駆動対象表示パネルの識別用端子部に対する信号入出力結果に基づいて、前記駆動対象表示パネルの識別情報を取得し、
取得した入力識別情報に基づいて、前記駆動対象表示パネルに対応した画像信号を前記駆動対象表示パネルへ出力する
表示装置。
【請求項２】
前記表示パネルは、不揮発性表示素子を含む
請求項１に記載の表示装置。
【請求項３】
前記識別用端子部は、前記インターフェース部からの信号入力用の１または複数の入力用端子と、前記インターフェース部への信号出力用の１または複数の出力用端子とを有し、
各入力用端子と各出力用端子との電気的な接続関係に応じて、前記表示パネルの種類毎の識別情報が設定されている
請求項２記載の表示装置。
【請求項４】
前記識別用端子部は、複数の入力用端子を有すると共に、複数の出力用端子としての第１〜第ｎ（ｎは２以上の整数）の出力用端子を有し、
前記表示パネルの種類毎に、前記第１〜第ｎの出力用端子はそれぞれ、前記複数の入力用端子のいずれかと電気的に接続されている
請求項３に記載の表示装置。
【請求項５】
前記インターフェース部は、前記複数の入力用端子のそれぞれに互いに異なる電気信号を入力することにより、前記第１〜第ｎの出力用端子の各出力信号の組み合わせに基づいて、前記入力識別情報を取得する
請求項２に記載の表示装置。
【請求項６】
前記識別用端子部は２つの入力用端子を有し、
前記インターフェース部は、
前記２つの入力用端子の一方の入力用端子に第１の電気信号、他方の入力用端子に第２の電気信号をそれぞれ印加し、
前記第１〜第ｎの出力用端子の各出力信号において、前記第１の電気信号に対応する場合には“１”に、前記第２の電気信号に対応する場合には“０”にそれぞれ置き換え、前記入力識別情報をｎビット（bit）の信号として取得する
請求項５に記載の表示装置。
【請求項７】
前記表示パネルが２種類である場合、
前記識別用端子部は、前記入力用端子および前記出力用端子をそれぞれ１つずつ有し、
一方の種類の表示パネルの識別用端子部では、前記入力用端子および前記出力用端子が電気的に接続され、
他方の種類の表示パネルの識別用端子部では、前記入力用端子および前記出力用端子が電気的に非接続となっている
請求項３に記載の表示装置。
【請求項８】
前記識別用端子部は、予め所定の電位に接続された端子と、前記インターフェース部と電気的に接続可能な１または複数の検出用端子とを有し、
前記端子と各検出用端子との電気的な接続関係に応じて、前記表示パネルの種類毎の識別情報が設定されている
請求項２記載の表示装置。
【請求項９】
前記駆動機器は、
前記入力識別情報に基づいて、前記駆動対象表示パネルに対応した解像度を設定する設定部と、
予め保持された画像信号あるいは外部入力された画像信号の解像度を、前記設定部により設定された解像度に変換することにより、前記駆動対象表示パネルに対応した画像信号を生成し、生成した画像信号を前記インターフェース部へ出力する信号処理部と
を備えた
請求項１に記載の表示装置。
【請求項１０】
前記設定部は、
前記表示パネルの種類毎の識別情報とそれぞれの解像度とを対応付けて保持するルックアップテーブルを有し、
前記ルックアップテーブルを参照して前記入力識別情報に対応する解像度を設定する
請求項９に記載の表示装置。
【請求項１１】
前記識別用端子部は、前記表示パネルに接続されるフレキシブルプリント基板（ＦＰＣ：Flexible printed circuits）上に設けられている
請求項１に記載の表示装置。
【請求項１２】
前記識別用端子部は、前記表示パネルの一部を構成する基板上に設けられている
請求項１に記載の表示装置。
【請求項１３】
前記表示パネルは電子ペーパーである
請求項１に記載の表示装置。
【発明の詳細な説明】
【技術分野】
【０００１】
本開示は、表示パネルとその駆動部とが互いに分離可能に構成された表示装置に関する。
【背景技術】
【０００２】
従来、表示装置では、画像表示を行う表示パネルと、その表示パネルに対応した画像信号の生成等の信号処理を行う駆動部（信号処理部）とは、一体化されたディスプレイモジュールとして形成されている。例えば、表示パネルの背面にフレキシブルプリント基板（ＦＰＣ：Flexible printed circuits）等を介して、上記のような駆動部が配設されている。
【０００３】
ところが、近年では、表示パネルを駆動部分と分離して（別モジュールとして）取り扱うことが可能な表示装置が提案されている（例えば、特許文献１参照）。このような表示装置では、駆動機器が表示パネルとの接続を行うインターフェース部を有しており、表示パネルへ画像信号の書き込みを行う際には、表示パネルを駆動機器へ一時的に接続することが可能となっている。
【先行技術文献】
【特許文献】
【０００４】
【特許文献１】特開２０１１−１３８１３７号公報
【発明の概要】
【発明が解決しようとする課題】
【０００５】
上記のような、表示パネルを駆動機器（信号処理部）から分離して取り扱うことが可能な表示装置において、サイズや解像度（画面解像度）等が互いに異なる複数種類の表示パネルへの画像書き込みを、１つの駆動機器を用いて行うことができる表示装置の実現が望まれている。
【０００６】
本開示はかかる問題点に鑑みてなされたもので、その目的は、複数種類の表示パネルへの画像書き込みを、１つの駆動機器を用いて行うことが可能な表示装置を提供することにある。
【課題を解決するための手段】
【０００７】
本開示の表示装置は、信号の入出力を行うインターフェース部を有する駆動機器と、それぞれが、駆動機器と別体として設けられると共に、駆動機器とインターフェース部を介して接続可能な複数種類の表示パネルとを備えている。複数種類の表示パネルはそれぞれ、自己の識別情報を提示する識別用端子部を有し、駆動機器は、複数種類の表示パネルのいずれかの表示パネルが接続された場合に、その接続された駆動対象表示パネルの識別用端子部に対する信号入出力結果に基づいて、駆動対象表示パネルの識別情報を取得し、取得した入力識別情報に基づいて、駆動対象表示パネルに対応した画像信号を駆動対象表示パネルへ出力するものである。
【０００８】
本開示の表示装置では、駆動機器と別体として設けられると共に、駆動機器とインターフェース部を介して接続可能な複数種類の表示パネルが、自己の識別情報を提示する識別用端子部を有する。駆動機器は、駆動対象表示パネルの識別用端子部に対する信号入出力結果に基づいて、駆動対象表示パネルの識別情報（入力識別情報）を取得する。この入力識別情報に基づいて、駆動対象表示パネルに対応した画像信号がインターフェース部を介して駆動対象表示パネルへ出力される。
【発明の効果】
【０００９】
本開示の表示装置によれば、駆動機器と別体として設けられると共に、駆動機器とそのインターフェース部を介して接続可能な複数種類の表示パネルが、自己の識別情報を提示する識別用端子部を有する。これにより、駆動機器では、入力識別情報に基づいて、複数種類の表示パネルのうちの駆動対象表示パネルに対応した画像信号を、駆動対象表示パネルに出力することができる。よって、複数種類の表示パネルへの画像書き込みを、１つの駆動機器を用いて行うことが可能となる。
【図面の簡単な説明】
【００１０】
【図１】本開示の一実施形態に係る表示装置の外観構成を表す模式図である。
【図２】図１に示した表示装置（表示パネル）のユーザ使用例を表す模式図である。
【図３】図１に示した表示パネルの画素駆動回路の一例を表す模式図である。
【図４】図１に示した駆動機器の機能ブロック図である。
【図５】図１に示した表示パネルの端子部の構成を表す平面図である。
【図６】図５に示した端子部の識別用端子部の詳細構成を説明するための模式図である。
【図７】図６に示した識別用端子部の他の構成例を表す模式図である。
【図８】駆動機器におけるパネル識別処理（解像度設定処理）を表すフローチャートである。
【図９】（Ａ），（Ｂ）は、表示パネル接続から画像データ書き換えまでの動作を表す模式図である。
【図１０】（Ａ），（Ｂ）は、変形例１に係る識別用端子部の構成を表す平面図である。
【図１１】変形例２に係る識別用端子部の構成およびインターフェース部の概略構成を表す平面図である。
【図１２】変形例２に係る識別用端子部の構成およびインターフェース部の概略構成を表す平面図である。
【図１３】変形例３に係る識別用端子部の構成を表す平面図である。
【発明を実施するための形態】
【００１１】
以下、本開示における実施の形態について、図面を参照して詳細に説明する。尚、説明は以下の順序で行う。
１．実施の形態（表示パネルに、２進数の識別情報を提示する識別用端子部を設けた例）
２．変形例１（識別用端子部の他の例）
３．変形例２（識別用端子部の他の例）
４．変形例３（識別用端子部の他の例）
【００１２】
＜実施の形態＞
図１は、本発明の一実施の形態に係る表示装置１の外観構成を表したものである。表示装置１は、画像信号に基づいて画像情報を表示するパネル部分（表示パネル１０Ａ，１０Ｂ）と、その表示用の画像信号を生成する信号処理部分（駆動機器２０）とを、互いに分離可能な別モジュールとして備えたものである。表示パネル１０Ａ，１０Ｂは、画面解像度（以下、単に解像度という）が互いに異なる（種類の異なる）表示パネルである。
【００１３】
表示パネル１０Ａ，１０Ｂは、表示部１１Ａ，１１Ｂと後述の端子部１２Ａ，１２Ｂとからなる。各表示部１１Ａ，１１Ｂは、不揮発性（記憶性）表示素子、例えば電気泳動素子、あるいは例えばコレステリック液晶等の不揮発性液晶を有する液晶表示素子を、画素（後述の画素ＰＸＬ）として含んでいる。表示パネル１０Ａ，１０Ｂでは、このような不揮発性表示素子が用いられることにより、画像信号に対応する電圧が印加され（画像信号が書き込まれ）、一度画像が表示されると、その後、電圧を印加し続けなくとも、その画像を表示し続けることができる。本実施の形態では、これらの表示パネル１０Ａ，１０Ｂと駆動機器２０とが、互いに分離可能となっているが、駆動機器２０において生成された画像信号を表示パネル１０Ａ，１０Ｂに書き込む際には、各表示パネル１０Ａ，１０Ｂと駆動機器２０とを一時的に接続できるようになっている。
【００１４】
これにより、例えば、表示パネル１０Ａを駆動機器２０に接続して、ある画像情報（画像情報Ｒ）についての画像信号を表示パネル１０Ａに書き込み、画像情報Ｒを表示させると、図２に示したように、表示パネル１０Ａを駆動機器２０から分離しても、その画像情報Ｒを表示し続けることができ、画像情報Ｒを表示した状態で表示パネル１０Ａをユーザ２が自由に持ち運ぶことが可能である。また、画像情報Ｒの表示中は、表示パネル１０Ａにおいて電源が不要である（あるいは微量で済む）ため、非不揮発性（非記憶性）表示素子を用いた場合に比べ消費電力を低減することができる。このような表示パネル１０Ａは、例えば、いわゆる電子ペーパー（e-paper）や電子ブック（e-book）として好適に利用される。表示パネル１０Ａ，１０Ｂが、例えば電子ペーパーや電子ブックとして利用される場合には、薄型で、かつフレキシブルな材料により構成されていることが望ましい。
【００１５】
図３に、表示パネル１０Ａ（１０Ｂ）の表示駆動回路を示す。このように、表示パネル１０Ａ（表示パネル１０Ｂも同様）では、基板１１０上の表示領域１１０Ａに複数の画素ＰＸＬがマトリクス状に設けられている。この表示領域１１０Ａの周辺領域には、各画素ＰＸＬの駆動ドライバとして、垂直走査回路（Ｙドライバ）１１２Ａおよび水平走査回路（Ｘドライバ）１１２Ｂが配設されている。垂直走査回路１１２Ａは、垂直走査信号Ｄｆ１に従って各画素ＰＸＬを選択し駆動するものである。水平走査回路１１２Ｂは、画像信号Ｄｐに対してＤ／Ａ（デジタル／アナログ）変換を施すと共に、そのＤ／Ａ変換後の画像信号を、水平走査信号Ｄｆ２に従って各画素ＰＸＬへ出力するものである。この表示パネル１０Ａに用いられる基板１１０は、例えばプラスチック等のフレキシブルな材料から構成されることが望ましい。但し、垂直走査回路１１２Ａおよび水平走査回路１１２Ｂは、基板１１０上に直に形成されていてもよいし、ＣＯＦ（chip on film）あるいはＴＣＰ（Tape carrier package）等の実装手法により基板１１０上に接続されていてもよい。
【００１６】
このような表示パネル１０Ａ，１０Ｂは、表示部１１Ａ，１１Ｂの周辺領域から張り出して、端子部１２Ａ，１２Ｂを備えている。端子部１２Ａ，１２Ｂは、駆動機器２０（詳細には後述のインターフェース部２６に設けられたパネル接続端子２６ａ）との接続用に使用されるものである。これらの端子部１２Ａ，１２Ｂは、例えばパネル基板上に接着されたフレキシブルプリント基板上に配設されている。これらの端子部１２Ａ，１２Ｂの詳細構成については後述する。
【００１７】
駆動機器２０は、複数種類の表示パネル（ここでは、表示パネル１０Ａ，１０Ｂ）のうち、接続された表示パネル（駆動対象表示パネル）に対して画像表示用信号Ｄoutを出力するものであり、その駆動対象表示パネルに対して画像書き込み（画像書き換え）を行うものである。駆動機器２０は、例えばその筐体の一部にスロット（差し込み用溝）を有しており、このスロット内にパネル接続端子２６ａを有している。これにより、表示パネル１０Ａの端子部１２Ａまたは表示パネル１０Ｂの端子部１２Ｂを駆動機器２０のスロットに差し込むことで、表示パネル１０Ａ（または表示パネル１０Ｂ）と駆動機器２０とが電気的に接続される。本実施の形態では、この駆動機器２０が、駆動対象表示パネルの識別情報（識別情報Ｄin，入力識別情報）を取得し、この取得した識別情報Ｄinに基づいて、画像表示用信号Ｄoutを生成、出力する。
【００１８】
図４は、駆動機器２０の機能ブロック構成を表したものである。駆動機器２０は、制御部２１、電源回路２２、パネル識別部２３、記憶部２４、信号処理部２５およびインターフェース部２６を備えている。制御部２１は、駆動機器２０全体の制御を行うＣＰＵ（Central Processing Unit）であり、例えばマイクロプロセッサから構成されている。電源回路２２は、制御部２１の制御に基づいて、各部に電源の供給を行うものであり、例えば１次電池または２次電池を含んで構成されている。記憶部２４は、外部から入力された画像信号（画像信号Ｄ0）を保持するフレームメモリである。この記憶部２４に保持された画像信号Ｄ0は、制御部２１の制御に応じて信号処理部２５に出力されるようになっている。尚、ここでは、パネル識別部２３を、制御部２１および信号処理部２５と別ブロックとして記載しているが、このパネル識別部２３は、制御部２１の一部あるいは信号処理部２５の一部から構成されていてもよい。
【００１９】
パネル識別部２３は、制御部２１の制御に応じて、インターフェース部２６に接続された駆動対象表示パネルの種類を識別し、識別した駆動対象表示パネルに適した解像度を設定する演算処理回路である。具体的には、ここでは、インターフェース部２６から識別情報Ｄinを取得し、この識別情報Ｄinに基づいて、予め定められたルックアップテーブル２３ａを参照することにより、駆動対象表示パネルの種類に適した解像度を設定（選択）する。ルックアップテーブル２３ａでは、接続が想定される複数種類の表示パネルのその種類毎の識別情報（表示パネルの種類を特定するＩＤ（Identification）情報）と、それら複数種類の表示パネルのそれぞれに適した解像度とが、対応付けられて保持されている。本実施の形態では、２種類の表示パネル１０Ａ，１０Ｂの識別情報と、各表示パネル１０Ａ，１０Ｂに適した解像度とがそれぞれ対応付けられてルックアップテーブル２３ａに保持されている。尚、このパネル識別部２３が、本開示の「設定部」の一具体例に相当する。
【００２０】
信号処理部２５は、例えば解像度変換回路２５ａおよびタイミングコントローラ２５ｂを有しており、記憶部２４に保持された画像信号Ｄ0の解像度を変換すると共にその解像度に応じた周波数（水平走査周波数および垂直走査周波数）を設定する演算処理部である。具体的には、解像度変換回路２５ａが、解像度情報Ｄｒ１に基づいて、画像信号Ｄ0の解像度を駆動対象の表示パネルに適した解像度へ変換する。タイミングコントローラ２５ｂは、この変換後の解像度に応じて周波数を設定する。
【００２１】
インターフェース部２６は、複数種類の表示パネルそれぞれとのインターフェースとして機能するものである。このインターフェース部２６は、上述したパネル接続端子２６ａを有しており、パネル接続端子２６ａを介して駆動対象表示パネルに対する信号入出力を行うものである。具体的には、識別情報Ｄinを入力信号として受け取る一方、画像表示用信号Ｄoutを出力信号として送出する。このインターフェース部２６は、また、２値またはそれ以上の電気信号を生成し、これらを選択的に駆動対象表示パネルへ出力するための電圧生成回路（図示せず）と、パネル接続端子２６ａを介して電気信号を検出し、識別情報を取得する電圧検出回路２６ｂとを有している。これにより、インターフェース部２６では、端子部１２Ａ（１２Ｂ）の一部に設けられた識別用端子部１２４（詳細は後述）の所定の端子に対して所定の電気信号（Ｖ１，Ｖ２）を入力すると共に、識別用端子部１２４の所定の端子から電気信号を検出し、識別情報Ｄｉを取得（生成）するようになっている。
【００２２】
（端子部１２Ａ，１２Ｂの詳細構成）
表示パネル１０Ａ，１０Ｂに設けられた端子部１２Ａ，１２Ｂは、詳細には以下のような構成となっている。図５に、端子部１２Ａ（端子部１２Ｂも同様）の平面構成について示す。このように、端子部１２Ａは、例えばＦＰＣ（フレキシブルプリント基板）１２０上に各種信号の入出力を行うための複数の端子部が設けられたものである。例えば、端子部１２Ａは、画像信号用端子部１２１、タイミング信号用端子部１２２、電源用端子部１２３および識別用端子部１２４を有している。画像信号用端子部１２１およびタイミング信号用端子部１２２は、画像書き込み（書き換え）時に、駆動機器２０から供給される画像表示用信号Ｄout（後述）を受け取るための端子部である。
【００２３】
識別用端子部１２４は、複数種類の表示パネルのその種類を識別するために設けられた端子部であり、表示パネルの各種類の識別情報を提示（表現）可能となっている。この識別用端子部１２４は、複数の端子からなり、これらの複数の端子の電気的な接続関係（電気的に接続されているか、あるいは非接続であるか。以下、「電気的接続関係」「接続関係」という）に応じて識別情報が設定されている。その一部の端子が駆動機器２０側から信号を受け取るための入力用端子であり、他の端子が駆動機器２０側へ信号を出力するための出力用端子となっている。
【００２４】
図６は、識別用端子部１２４の詳細構成について表したものである。識別用端子部１２４は、例えば複数の入力用端子（ここでは、２つの入力用端子１２４ａ，１２４ｂ）と、複数の出力用端子（ここでは３つの出力用端子１２４ｃ，１２４ｄ，１２４ｅ）とを含んでいる。識別用端子部１２４では、上記３つの出力用端子１２４ｃ，１２４ｄ，１２４ｅがそれぞれ、入力用端子１２４ａ，１２４ｂのいずれかと電気的に接続されている。例えば、図６に示した例では、出力用端子１２４ｃ，１２４ｅが入力用端子１２４ａに電気的に接続され、出力用端子１２４ｄが入力用端子１２４ｂに電気的に接続されている。
【００２５】
このような電気的接続関係を有する識別用端子部１２４に対し、駆動機器２０からインターフェース部２６を介して入力用端子１２４ａ，１２４ｂのそれぞれに互いに異なる電気信号Ｖ１，Ｖ２が入力されるようになっている。電気信号Ｖ１，Ｖ２は、互いに異なっていればよいが、例えば一方（電気信号Ｖ１）が参照電位Ｖcc（例えば＋３Ｖ）に対応し、他方（電気信号Ｖ２）がグランド（ＧＮＤ）電位（例えば０Ｖ）に対応している。出力用端子１２４ｃ，１２４ｄ，１２４ｅでは、上記のように入力用端子１２４ａ，１２４ｂのどちらかと電気的に接続されていることから、電気信号Ｖ１，Ｖ２のどちらかに対応する信号を出力するようになっている。
【００２６】
例えば、出力用端子１２４ｃの出力信号ｓ１は電気信号Ｖ１、出力用端子１２４ｄの出力信号ｓ２は電気信号Ｖ２、出力用端子１２４ｅの出力信号ｓ３は電気信号Ｖ１となる。このようにして出力用端子１２４ｃ〜１２４ｅから得られる出力信号ｓ１〜ｓ３の組み合わせが、識別情報Ｄｉとして駆動機器２０により取得される。
【００２７】
また、本実施の形態では、インターフェース部２６により、出力信号ｓ１〜ｓ３において、例えば電気信号Ｖ１に対応する出力が“１”に、電気信号Ｖ２に対応する出力が“０（ゼロ）”にそれぞれ置き換えられる（（ｓ１，ｓ２，ｓ３）＝（１，０，１））。これにより、識別情報Ｄinが、計３個のデータ配列からなる２進数の識別情報（３ビット（bit）の識別情報）として取得される。即ち、この例では、識別情報Ｄinとして“１０１”が取得される。
【００２８】
図７（Ａ）〜（Ｄ）に、上記と同様の２つの入力用端子１２４ａ，１２４ｂと、３つの出力用端子１２４ｃ〜１２４ｅとを有する識別用端子部の他の接続構成例（一例）について示す。例えば図７（Ａ）の例では、出力用端子１２４ｃ〜１２４ｅの全てが入力用端子１２４ｂに接続されており、識別情報Ｄinとして“０００”が取得される。図７（Ｂ）の例では、出力用端子１２４ｅが入力用端子１２４ａに、出力用端子１２４ｃ，１２４ｄが入力用端子１２４ｂにそれぞれ接続されており、識別情報Ｄinとして“００１”が取得される。同様の原理により、図７（Ｃ）の例では“０１０”が取得され、図７（Ｄ）の例では“１１１”が取得される。このように、識別用端子部１２４では、入力用端子１２４ａ，１２４ｂと出力用端子１２４ｃ〜１２４ｅとの接続関係に応じて、様々な識別情報を設定可能である。例えば、上記のように、２つの入力用端子１２４ａ，１２４ｂと３つの出力用端子１２４ｃ〜１２４ｅとを用いた場合には、計８（＝２3）通りの識別情報を表すことができる。つまり、８種類の表示パネルの識別が可能となる。
【００２９】
尚、ここでは、入力用端子が２つ、出力用端子が３つである場合を例に挙げたが、入力用端子および出力用端子のそれぞれの個数はこれらに限定されるものではない。例えば、出力用端子を２つあるいは４つ以上としてもよい。即ち、ｎ（ｎは２以上の整数）個の出力用端子（第１〜第ｎの出力用端子）を設けた場合、これらｎ個の出力用端子を、２つの入力用端子のどちらかに電気的に接続させることにより、ｎ個のデータ配列からなる２進数の情報（ｎビットの識別情報）を設定可能となる。また、これにより識別可能な表示パネルは２n種類となる。更に、入力用端子の個数を３つ以上に設定して、各入力用端子に互いに異なる電気信号（３値以上）を入力してもよい。
【００３０】
（作用、効果）
本実施の形態の表示装置１では、次のようにして、表示パネル１０Ａ（または１０Ｂ）の画像書き換え動作がなされる。
【００３１】
図８は、駆動機器２０による駆動処理（パネル識別、画像書き換え処理）のフローチャートである。図９（Ａ），（Ｂ）は、そのような駆動処理を模式的に表したものである。駆動機器２０では、複数種類の表示パネル（表示パネル１０Ａ，１０Ｂ）のうちのいずれかの表示パネル（駆動対象表示パネル）が、インターフェース部２６を介して接続されると、その駆動対象表示パネルから識別情報Ｄinを自動的に取得する（ステップＳ１）。次いで、取得した識別情報Ｄinに基づいてパネル識別（解像度の設定）を行う（ステップＳ２）。このパネル識別ステップでは、駆動対象表示パネルが表示パネル１０Ａ，１０Ｂのどちらであるかを判別し、その駆動対象表示パネルに適した解像度を設定する。このようにして設定された解像度に基づいて画像表示用信号Ｄoutを生成し（ステップＳ３）、この画像表示用信号Ｄoutを駆動対象表示パネルへ出力する（ステップＳ４）。以下、各ステップＳ１〜Ｓ４の具体的な処理動作について説明する。
【００３２】
（識別情報Ｄinの取得:ステップＳ１）
まず、駆動機器２０に対し、インターフェース部２６（詳細にはパネル接続端子２６ａ）を介して駆動対象表示パネルが接続されると、インターフェース部２６は、駆動対象表示パネルから識別情報Ｄinを取得する。この際、まず、インターフェース部２６は、駆動対象表示パネルの端子部（端子部１２Ａまたは端子部１２Ｂ）の一部を構成する識別用端子部１２４（図５および図６参照）に対して、次のような信号入力動作および信号読み出し動作を行う。即ち、インターフェース部２６は、識別用端子部１２４のうちの入力用端子１２４ａに対して電気信号Ｖ１を、入力用端子１２４ｂに対して電気信号Ｖ２をそれぞれ入力する。識別用端子部１２４では、出力用端子１２４ｃ〜１２４ｅが入力用端子１２４ａ，１２４ｂのどちらかと電気的に接続されていることから、出力用端子１２４ｃ〜１２４ｅから、電気信号Ｖ１，Ｖ２のいずれかが出力信号ｓ１〜ｓ３として出力される（インターフェース部２６が出力信号ｓ１〜ｓ３を読み出す）。
【００３３】
このようにして読み出された出力信号ｓ１〜ｓ３において、インターフェース部２６は、上述のように、電気信号Ｖ１を“１”に、電気信号Ｖ２を“０”にそれぞれ置き換える処理を行う。これにより、所定のビット数（ここでは３ビット）の識別情報Ｄinを取得する。このようにして、駆動対象表示パネルの識別情報Ｄinを自動的に取得する。取得された識別情報Ｄinは、パネル識別部２３へ出力される。
【００３４】
（パネル識別／解像度設定：ステップＳ２）
続いて、パネル識別部２３は、入力された識別情報Ｄinに基づき、駆動対象表示パネルが表示パネル１０Ａ，１０Ｂのどちらであるのかを判別し、駆動対象表示パネルに適した解像度を設定する。具体的には、パネル識別部２３に予め定められたルックアップテーブル２３ａを参照して、識別情報Ｄinが表示パネル１０Ａ，１０Ｂのどちらを特定するものであるのかを判定すると共に、その識別情報に対応付けられている解像度の情報を読み出す。
【００３５】
例えば、表示パネル１０Ａを特定する識別情報Ｄａとして“１０１”が、表示パネル１０Ｂを特定する識別情報Ｄｂとして“０１０”がそれぞれ割り当てられている場合、入力された識別情報Ｄinが“１０１”を示すのであれば、駆動対象表示パネルが表示パネル１０Ａであると判定する。そして、この識別情報Ｄａ（表示パネル１０Ａ）に対応付けられている解像度を読み出し、これを駆動対象表示パネルの解像度として設定（選択）する。あるいは、入力された識別情報Ｄinが“０１０”を示すのであれば、駆動対象表示パネルが表示パネル１０Ｂであると判定する。そして、識別情報Ｄｂ（表示パネル１０Ｂ）に対応付けられている解像度を読み出し、これを駆動対象表示パネルの解像度として設定（選択）する。
【００３６】
このようにして設定された駆動対象表示パネルの解像度情報Ｄｒは、信号処理部２５へ出力される。
【００３７】
（画像表示用信号Ｄoutの生成：ステップＳ３）
次に、信号処理部２５は、入力された解像度情報Ｄｒに基づいて、出力用の画像表示用信号Ｄoutを生成する。具体的には、解像度変換回路２５ａが、記憶部２４から入力される画像信号Ｄ0の解像度を、解像度情報Ｄｒに基づいて、駆動対象表示パネルに適した解像度に変換する。タイミングコントローラ２５ｂは、その変換後の解像度に応じて周波数を設定し、駆動対象表示パネルに適したタイミング信号Ｄｆ（水平走査信号Ｄｆ１，垂直走査信号Ｄｆ２）を生成する。尚、この信号処理部２５は、上記解像度変換および周波数設定以外にも、例えばγ補正処理、階調補正処理等の各種信号処理を行ってもよい。このようにして駆動対象表示パネルに対応して生成された画像信号Ｄｐおよびタイミング信号Ｄｆ（Ｄｆ１，Ｄｆ２）が、画像表示用信号Ｄoutとしてインターフェース部２６へ出力される。
【００３８】
（画像表示用信号Ｄoutの出力：ステップＳ４）
この後、インターフェース部２６は、信号処理部２５から入力された画像表示用信号Ｄoutを、パネル接続用端子２６ａを介して駆動対象表示パネルへ出力する。この際、画像表示用信号Ｄoutのうちの画像信号Ｄｐは、端子部１２Ａ（または端子部１２Ｂ）の画像信号用端子部１２１を介して、駆動対象表示パネルの水平走査回路１１２Ｂへ供給される。一方、タイミング信号Ｄｆのうち垂直走査信号Ｄｆ１は、タイミング信号用端子部１２２を介して、垂直走査回路１１２Ａに供給され、水平走査信号Ｄｆ２は、タイミング信号用端子部１２２を介して、水平走査回路１１２Ｂに供給される。尚、この画像表示用信号Ｄoutは、上記画像信号Ｄｐおよびタイミング信号Ｄｆに加えて、電源回路２２から出力される表示用電源を含んでいる。この表示用電源は、電源用端子部１２３を介して駆動対象表示パネルへ供給される。
【００３９】
（画像書き込み（書き換え）動作）
上記のようにして、画像表示用信号Ｄoutが駆動対象表示パネルへ出力されると、駆動対象表示パネルでは、入力された画像表示用信号Ｄoutに基づいて、表示部１１Ａ（または表示部１１Ｂ）に画像情報が表示される。具体的には、駆動対象表示パネルでは、垂直走査回路１１２Ａが、垂直走査信号Ｄｆ１に従って、各画素ＰＸＬに接続された走査線ＷＳＬに走査信号を順次供給すると共に、水平走査回路１１２Ｂが、水平走査信号Ｄｆ２に従って、画像信号Ｄｐを所定の信号線ＤＴＬに供給する。これにより、画像信号Ｄｐが供給された信号線ＤＴＬと走査信号が供給された走査線ＷＳＬとの交差点に位置する画素ＰＸＬが選択され、その画素ＰＸＬに駆動電圧が印加される。このようにして、駆動対象表示パネルへ画像の書き込み（書き換え）がなされる。
【００４０】
このような駆動機器２０のパネル識別（解像度設定）動作、画像信号生成動作および画像信号出力動作により、表示装置１のユーザは、駆動対象表示パネル（使用対象表示パネル）の解像度を、書き込み（書き換え）の都度設定することなく、駆動機器２０に接続するだけで、自動的に画像の書き込みを行うことができる。
【００４１】
例えば、ユーザは、画像情報Ｒ１ａを表示中の表示パネル１０Ａに対して画像書き込み（書き換え）を行う場合には、図９（Ａ）に示したように、その表示パネル１０Ａを駆動機器２０のスロット（パネル接続端子２６ａ）に差し込むだけでよい。これにより、駆動機器２０によって自動的に、上述したような駆動処理（パネル識別／解像度設定処理）がなされ、新たな画像情報Ｒ２ａが表示パネル１０Ａに書き込まれる（画像情報Ｒ１ａから画像情報Ｒ２ａに書き換えられる）。即ち、表示パネル１０Ａにおいて、その解像度に応じた画像情報Ｒ２ａの書き込み（書き換え）が可能となる。同様に、ユーザは、画像情報Ｒ１ｂを表示中の表示パネル１０Ｂに対して画像書き込み（書き換え）を行う場合には、図９（Ｂ）に示したように、その表示パネル１０Ｂを駆動機器２０のスロット（パネル接続端子２６ａ）に差し込むだけで、表示パネル１０Ｂの解像度に応じた画像情報Ｒ２ｂの書き込み（書き換え）を行うことができる。
【００４２】
以上のように、本実施の形態の表示装置１では、複数種類の表示パネル（表示パネル１０Ａ，１０Ｂ）が、駆動機器２０とそのインターフェース部２６を介して接続可能であると共に、信号入出力結果に応じて自己の識別情報を提示する識別用端子部１２４を有している。駆動機器２０が、これらの表示パネル１０Ａ，１０Ｂのうちの駆動対象表示パネルの識別用端子部１２４に対する信号入出力結果に基づいて識別情報Ｄinを取得することにより、駆動対象表示パネルに対応した画像信号Ｄｐを駆動対象表示パネルへ出力することができる。よって、複数種類の表示パネルへの画像書き込みを、１つの駆動機器２０を用いて行うことが可能となる。
【００４３】
また、本実施の形態では、画像の書き込み（書き換え）を行う際に、駆動対象表示パネルの解像度を、ユーザが設定することなく自動認識することができる。よって、使用時のユーザの負担が軽減され、ユーザビリティを向上することができる。
【００４４】
あるいは、表示パネルの解像度情報を取得する手法としては、ユーザ設定（外部入力）の他にも、解像度情報を表示パネルのメモリーに予め保持しておき、画像書き込みの際に、この解像度情報を読み出して駆動機器側へ送る手法がある。このような手法では、表示パネルに解像度情報保持のためのメモリーを設ける必要があるが、本実施の形態では、このようなメモリーが不要であるため、コスト削減およびＩＣ実装面積削減につながる。
【００４５】
加えて、本実施の形態では、表示パネル１０Ａ，１０Ｂのそれぞれに識別用端子部１２４を設け、この識別用端子部１２４における入力用端子部１２４ａ，１２４ｂと出力用端子部１２４ｃ〜１２４ｅとの接続関係を利用して、パネル識別を行う。ここで、識別情報を取得する手法としては、例えば表示パネルのメモリーに自己の識別情報を予め保持しておき、画像書き込みの際に、この識別情報を読み出して駆動機器側へ送る手法がある。このような手法では、識別情報保持のためのメモリーを設ける必要があるが、本実施の形態では、このようなメモリーが不要であるため、上記と同様、コスト削減およびＩＣ実装面積削減につながる。
【００４６】
また、本実施の形態では、表示パネル１０Ａ（１０Ｂ）に不揮発性表示素子を用いることにより、表示パネル１０Ａ（１０Ｂ）にメモリＩＣを設ける必要がなくなるため、この点においても、コスト削減およびＩＣ実装面積削減につながる。
【００４７】
尚、上記実施の形態では、複数種類の表示パネルとして、２種類の表示パネル１０Ａ，１０Ｂを例示して説明を行ったが、上記実施の形態において識別可能な表示パネルの種類は、この２種類に限定されるものではない。上述したように、識別用端子部の電気的接続関係に応じて、図６に示した例でも８種類の識別が可能であり、端子数を増やせば、より多くの種類の表示パネルの識別が可能である。
【００４８】
次に、上記実施の形態の変形例（変形例１，２）について説明する。以下では、上記実施の形態と同様の構成要素については同一の符号を付し、適宜説明を省略する。
【００４９】
＜変形例１＞
図１０（Ａ），（Ｂ）は、変形例１に係る識別用端子部（識別用端子部１２５）の平面構成を表したものである。この識別用端子部１２５は、１つの入力用端子１２５ａと１つの出力用端子１２５ｂから構成され、これらの入力用端子１２５ａおよび出力用端子１２５ｂの電気的な接続関係（接続状態）に応じて識別情報が提示されるようになっている。具体的には、図１０（Ａ）に示したように、入力用端子１２５ａおよび出力用端子１２５ｂを、互いに電気的に接続させ（図中のＣ１）、入力用端子１２５ａへ入力される電気信号Ｖ３が、出力用端子１２５ｂから出力可能な構成とする。あるいは、図１０（Ｂ）に示したように、入力用端子１２５ａおよび出力用端子１２５ｂを、互いに電気的に非接続とし（図中のＣ２）、入力用端子１２５ａへ入力される電気信号Ｖ３（例えば交流電圧）が、出力用端子１２５ｂから出力されないような構成とする。
【００５０】
本変形例では、上記構成により、識別用端子部１２５への入力信号に対する出力信号として計２種類のパターンの電気信号が得られ、各出力信号が識別情報Ｄinとして、インターフェース部２６へ出力される。即ち、本変形例では、１つの入力用端子１２５ａと１つの出力用端子１２５ｂとを用いて、２種類の識別情報を設定でき、これにより２種類の表示パネルを識別可能となる。
【００５１】
このように、識別対象となる表示パネルの種類が２種類に限定される場合には、上記実施の形態のように入力用端子および出力用端子をそれぞれ複数設けなくともよい。より簡易な構成により２種類の表示パネルを識別可能となる。
【００５２】
＜変形例２＞
図１１および図１２は、変形例２に係る識別用端子部（識別用端子部１２６）の平面構成を、駆動機器２０のインターフェース部２６の概略構成と共に表したものである。尚、各図では、識別用端子部１２６とパネル接続端子２６ａとの接続状態をスイッチＳＷ１に置き換えて示している。本変形例では、パネル側の識別用端子部１２６において、予め参照電位（例えば電位Ｖcc）に接続された端子１２６ａと、検出用端子１２６ｂとから構成され、これらの端子１２６ａおよび検出用端子１２６ｂの接続状態に応じて識別情報が提示される。具体的には、図１１に示したように、端子１２６ａおよび検出用端子１２６ｂを、互いに電気的に接続させ（図中のＣ１）、検出用端子１２６ｂから電位Ｖccを駆動機器２０の電圧検出回路２６ｂにおいて検出可能な構成とする。あるいは、図１２に示したように、端子１２６ａおよび検出用端子１２６ｂを、互いに電気的に非接続とし（図中のＣ２）、電位Ｖccが駆動機器２０の電圧検出回路２６ｂにおいて検出されないような構成とする。尚、この場合には、電圧検出回路２６ｂでは、グランド電位が検出される。
【００５３】
本変形例のように、駆動機器２０側から識別用端子部１２６にパネル識別のための電気信号を入力するのではなく、識別用端子部１２６の一部（端子１２６ａ）を予め所定の電位に接続しておき、この端子１２６ａと検出用端子１２６ｂとの接続状態に基づいて識別情報が得られるようにしてもよい。
【００５４】
また、上記変形例２では、検出用端子１２６ｂを１つとしているが、検出用端子１２６ｂを複数設けるようにしてもよい。この場合にも、それらの複数の検出用端子１２６ｂと端子１２６ａとの各接続状態に応じて、上記実施の形態において説明したような３種類以上の識別情報を得ることができる。
【００５５】
＜変形例３＞
図１３は、変形例３に係る識別用端子部のレイアウト例を表したものである。上記実施の形態では、識別用端子部１２４を含む端子部１２Ａ（１２Ｂ）を、表示パネル１０Ａ（１０Ｂ）の周辺領域に接続されたフレキシブルプリント基板上に設けたが、この識別用端子部１２４は、表示パネル１０Ａ（１０Ｂ）を構成する基板１１０上に設けられていてもよい。例えば、本変形例では、基板１１０上には、上述のように複数の画素（ＰＸＬ）を含む画素エリア１１０Ａが形成され、その周辺領域にドライバＩＣ１１２（垂直走査回路１１２Ａ，水平走査回路１１２Ｂ）が配設されている。識別用端子部１２４は、画素エリア１１０Ａの周辺領域に設けられている。表示用端子部１１３（上述の画素信号用端子部１２１，タイミング信号用端子部１２２および表示電源用端子部１２３）についても、基板１１０上にドライバＩＣ１１２と共に形成されている。これらの識別用端子部１２４および表示用端子部１１３のそれぞれに配線接続されてフレキシブルプリント基板ＦＰＣが接着されており、このフレキシブルプリント基板ＦＰＣが、駆動機器２０のインターフェース部２６に接続されるようになっている。このように、識別用端子部１２４は、表示パネル１０Ａ（１０Ｂ）の基板１１０上に直に設けられていてもよい。
【００５６】
以上、実施の形態および変形例を挙げて説明したが、本開示内容は上記実施の形態に限定されるものではなく、種々変形可能である。例えば、上記実施の形態等では、表示パネルが不揮発性表示素子を備える例について説明したが、このような不揮発性表示素子に代えて、非記憶性の表示素子と、その表示状態を維持するための小規模な電源とを併せ持つ構成としてもよい。
【００５７】
また、上記実施の形態等では、駆動機器のパネル識別部において、パネル識別により解像度を設定する場合について説明したが、このような解像度に限定されず、駆動対象表示パネルにおける表示画像がモノクロかカラーかを判別するようにしてもよく、この判別と解像度設定を組み合わせて用いてもよい。モノクロ画像およびカラー画像を判別する場合には、例えば、パネル識別部２３において、モノクロ画像またはカラー画像であるかについての情報を、各表示パネルの識別情報と対応付けて保持しておけばよい。そして、この判別結果を信号処理部２５へ出力し、信号処理部２５においてその判別結果に応じた信号処理を行うようにすればよい。
【００５８】
加えて、上記実施の形態等では、表示パネルがフレキシブルな電子ペーパーである場合を例示したが、本開示の表示パネルは必ずしもフレキシブル性を有していなくともよく、リジットなものであってもよい。但し、本開示内容は、例えばプラスチック基板等を用いて構成されるフレキシブルディスプレイにおいて、特に有用である。
【００５９】
尚、本開示の表示装置および電子機器は、以下の（１）〜（１３）に記載したような構成であってもよい。
（１）信号の入出力を行うインターフェース部を有する駆動機器と、それぞれが、前記駆動機器と別体として設けられると共に、前記駆動機器と前記インターフェース部を介して接続可能な複数種類の表示パネルとを備え、前記複数種類の表示パネルはそれぞれ、自己の識別情報を提示する識別用端子部を有し、前記駆動機器は、前記複数種類の表示パネルのいずれかの表示パネルが接続された場合に、その接続された駆動対象表示パネルの識別用端子部に対する信号入出力結果に基づいて、前記駆動対象表示パネルの識別情報を取得し、取得した入力識別情報に基づいて、前記駆動対象表示パネルに対応した画像信号を前記駆動対象表示パネルへ出力する表示装置。
（２）前記表示パネルは、不揮発性表示素子を含む上記(1)に記載の表示装置。
（３）前記識別用端子部は、前記インターフェース部からの信号入力用の１または複数の入力用端子と、前記インターフェース部への信号出力用の１または複数の出力用端子とを有し、各入力用端子と各出力用端子との電気的な接続関係に応じて、前記表示パネルの種類毎の識別情報が設定されている上記(1)または(2)に記載の表示装置。
（４）前記識別用端子部は、複数の入力用端子を有すると共に、複数の出力用端子としての第１〜第ｎ（ｎは２以上の整数）の出力用端子を有し、前記表示パネルの種類毎に、前記第１〜第ｎの出力用端子はそれぞれ、前記複数の入力用端子のいずれかと電気的に接続されている上記(3)に記載の表示装置。
（５）前記インターフェース部は、前記複数の入力用端子のそれぞれに互いに異なる電気信号を入力することにより、前記第１〜第ｎの出力用端子の各出力信号の組み合わせに基づいて、前記入力識別情報を取得する上記(1)〜(4)のいずれかに記載の表示装置。
（６）前記識別用端子部は２つの入力用端子を有し、前記インターフェース部は、前記２つの入力用端子の一方の入力用端子に第１の電気信号、他方の入力用端子に第２の電気信号をそれぞれ印加し、前記第１〜第ｎの出力用端子の各出力信号において、前記第１の電気信号に対応する場合には“１”に、前記第２の電気信号に対応する場合には“０”にそれぞれ置き換え、前記入力識別情報をｎビット（bit）の信号として取得する上記(5)に記載の表示装置。
（７）前記表示パネルが２種類である場合、前記識別用端子部は、前記入力用端子および前記出力用端子をそれぞれ１つずつ有し、一方の種類の表示パネルの識別用端子部では、前記入力用端子および前記出力用端子が電気的に接続され、他方の種類の表示パネルの識別用端子部では、前記入力用端子および前記出力用端子が電気的に非接続となっている上記(1)〜(3)のいずれかに記載の表示装置。
（８）前記識別用端子部は、予め所定の電位に接続された端子と、前記インターフェース部と電気的に接続可能な１または複数の検出用端子とを有し、前記端子と各検出用端子との電気的な接続関係に応じて、前記表示パネルの種類毎の識別情報が設定されている上記(1)または(2)に記載の表示装置。
（９）前記駆動機器は、前記入力識別情報に基づいて、前記駆動対象表示パネルに対応した解像度を設定する設定部と、予め保持された画像信号あるいは外部入力された画像信号の解像度を、前記設定部により設定された解像度に変換することにより、前記駆動対象表示パネルに対応した画像信号を生成し、生成した画像信号を前記インターフェース部へ出力する信号処理部とを備えた上記(1)〜(8)のいずれかに記載の表示装置。
（１０）前記設定部は、前記表示パネルの種類毎の識別情報とそれぞれの解像度とを対応付けて保持するルックアップテーブルを有し、前記ルックアップテーブルを参照して前記入力識別情報に対応する解像度を設定する上記(9)に記載の表示装置。
（１１）前記識別用端子部は、前記表示パネルに接続されるフレキシブルプリント基板（ＦＰＣ：Flexible printed circuits）上に設けられている上記(1)〜(10)のいずれかに記載の表示装置。
（１２）前記識別用端子部は、前記表示パネルの一部を構成する基板上に設けられている上記(1)〜(11)のいずれかに記載の表示装置。
（１３）前記表示パネルは電子ペーパーである上記(1)〜(12)のいずれかに記載の表示装置。
【符号の説明】
【００６０】
１…表示装置、１０Ａ，１０Ｂ…表示パネル、１１Ａ，１１Ｂ…表示部、１２Ａ，１２Ｂ…端子部、１１０…基板、１１０Ａ…画素エリア、１１２Ａ…垂直走査回路、１１２Ｂ…水平走査回路、１２０…フレキシブルプリント基板、１２１…画像信号用端子部、１２２…タイミング用信号、１２３…電源用端子部、１２４〜１２６…識別用端子部、１２４ａ，１２４ｂ，１２５ａ…入力用端子、１２４ｃ〜１２４ｅ，１２５ｂ…出力用端子、１２５ａ…端子、１２６ｂ…検出用端子、２０…駆動機器、２１…制御部、２２…電源回路、２３…パネル識別部、２３ａ…ルックアップテーブル、２４…記憶部、２５…信号処理部、２６…インターフェース部、２６ａ…パネル接続端子、２６ｂ…電圧検出回路、Ｄin…識別情報、Ｄ0，Ｄｐ…画像信号、Ｄｒ…解像度情報、Ｄｆ…タイミング信号、Ｄｆ１…垂直走査信号、Ｄｆ２…水平走査信号、Ｄout…画像表示用信号、Ｖ１〜Ｖ３…電気信号、ｓ１〜ｓ３…出力信号。
【図１】
2013097269.tif 000003
【図２】
2013097269.tif 000004
【図３】
2013097269.tif 000005
【図４】
2013097269.tif 000006
【図５】
2013097269.tif 000007
【図６】
2013097269.tif 000008
【図７】
2013097269.tif 000009
【図８】
2013097269.tif 000010
【図９】
2013097269.tif 000011
【図１０】
2013097269.tif 000012
【図１１】
2013097269.tif 000013
【図１２】
2013097269.tif 000014
【図１３】
2013097269.tif 000015